(57)【特許請求の範囲】
【請求項１】
本体部と該本体部の対向する一対の面に、着脱可能に取り付けられる一対の付属部と
を具備し、前記本体部の前記一対の面には、一方向からの嵌合を許容する嵌合凹部が設
けられており、一方前記付属部には、前記嵌合凹部に嵌合する嵌合凸部が、設けられて
おり、 前記本体部及び付属部の内、四分の一円形型嵌合凹部を設けた前記本体部は、
一対の上面と桁部側面に嵌合凹部を設けた事を特徴とし、一方、四分の一円形型嵌合凸部を設けた前記付属部は、片方桁部側面に嵌合凸部を設け、四分の一円形型嵌合凹部を設けた前記本体部の桁部側面嵌合凹部に対し、四分の一円形型嵌合凸部を横方向から上部方向に掛けて、四分の一円形軌道の曲線を描かせながら、嵌合させる特徴を有する組立式パレット。
【請求項２】
ボルトを使用して嵌合を行う事を特徴とする、前記請求項１記載の組立式パレット。
【請求項３】
ボルトを使用しないで嵌合を行う事を特徴とする、前記請求項１記載の組立式パレット。
【請求項４】
前記本体部は、前記本体部の一対の面に、四分の一円形型の嵌合凹部を設け、中央部に位置する正方形の桁部により前記本体部の形状が、長方形体を形成し、フォークの差し穴の間隔が、正方形の桁部の中心から四面総てに於いて均等となり、一方、中央部に位置する長方形の桁部により前記本体部の形状が、正方形体を形成し、フォークの差し穴の間隔が、長方形桁部の中心から四面の内の二面に於いて、均等にならない特徴を有し、前記付属部は、四分の一円形型嵌合凸部を設け、前記本体部の一対の面に形成された四分の一
円形型嵌合凹部に、嵌合する事を特徴とし、係る正方形体及び、長方形体の前記本体部
相互に嵌合する事を特徴とした請求項１又は、請求項２又は、請求項３記載の組立式パレット。
【請求項５】
前記本体部に於ける、四分の一円形型の嵌合凹部は、前記本体部の一対の面に単数個又は、複数個の嵌合凹部を設け、一方、前記付属部に於ける、四分の一円形型の嵌合凸部は、前記付属部片方の面に、単数個又は、複数個の嵌合凸部を設けた事を特徴とする請求項１又は、請求項２又は、請求項３又は、請求項４に記載の組立式パレット。
【発明の詳細な説明】
【技術分野】
【０００１】
本発明は、組み立てが容易で簡単で、迅速に適応できる事により、組立前の主たる
パレット、組立後の主たるパレット、付属パレットの利用価値は、工場内、倉庫内、
市場内、運搬用のために用いられるパレットに関する。
【背景技術】
【０００２】
往来の技術は、木製のパレットがスタンダードで一般的であるが、しかし、腐食や大きな力が加わると破損が著しく、木の破片や釘が危険であった。使い捨てのパレットも存在する程だが、釘を使う組立パレットは、釘からの腐食の進行が激しく、他の組立などの
応用に適さない。
近年に於いては、合成樹脂性、木質系材料等を利用したパレットも存在し、倉庫内や
工場などで見かけられる。耐性に優れ半永久的に使用できる合成樹脂性は、加工や組立などに利用できる。
【０００３】
用途によってパレットの種類は各種多様であるが、耐性的である合成樹脂パレットは
加工する事ができるため、各種用途に適用でき、その中に於いて、組立式パレットの利便性が注目されている。
往来の組み立て式パレットは大別して、嵌合式とスライド式に分類でき、嵌合式が複雑な形体に対して、スライド式は簡素化的な形体であり、スライド式は、特開  2003-267370号公報、特開  平3-8136号公報、実用新案登録番号  第3038917号である。一方、嵌合式は、特開  平3-120431号公報 、特開  平3-256844号公報、特開  平3-240648号公報、特開  昭53-63168号公報、特開  昭54-119167号公報の以上である。
【特許文献１】特開  2003-267370号公報
【特許文献２】特開  平3-8136号公報
【特許文献３】実用新案登録番号  第3038917号
【特許文献４】特開  平3-120431号公報
【特許文献５】特開  平3-256844号公報
【特許文献６】特開  平3-240648号公報
【特許文献７】特開  昭53-63168号公報
【特許文献８】特開  昭54-119167号公報
【発明の開示】
【発明が解決しようとする課題】
【０００４】
従来の組み立て式パレットは、ベースとなるパレットに付属類のパレットを組み合わせる事によって、パレットの合理化を目指して来た。スライド式は強度的と言うよりも、
凹凸部の凸部分を破損、摩耗したりすると接続ができなくなる可能性があり、スライド
方向に外力が加わるとスライド方向にずれが生じる恐れもある。又、フォークの差し穴がスライド方向側の断面上、４面の内の２面にだけ存在し、多少合理性に欠ける。この様な事から運搬用には適さないが、工場内等に適するものである。
これに対し、往来の嵌合式は、断面的に各４面にフォークの差し穴が存在しているが、形状や仕組みが複雑であり、嵌合、分解に時間が掛かる等オプションが多過ぎる。
【０００５】
スライド式に於いて、特開  平3-8136別広報を参照すると、スライド式の中で唯一、
面積の変化を可能にした画期的な、他に概念がないパレットであるが、４面の内の２面
しかフォークの差し穴がなく、トラック等に積載する上で横差し積載が不可能である。
更に、面積を増やすために横方向にスライドするため、下部構造の内の下部デッキボードが、面積の増加した部分に存在しなくなるため、桁部と上部デッキボードのみで強度を保持するには、長い時間を通して破損を生じさせる恐れがある。又、荷と接する表面に、荷のサイズにもよるが、大きな隙間が生じ、荷崩れの恐れもある。
【０００６】
一方の嵌合式に於いて、特開  平3-256844別広報,  特開  平3-240648別広報を参照
すると、フォークの差し穴が４面あるが、特開  平3-256844別広報の場合はパーツが５つに分類されるが、平3-256844別広報の様な主パレットに面積を増やす概念が不足している。又、態々５つのパーツに分解する必要もない様に思われる。何故なら、主たるパレットを５つのパーツから組み合わせ又は、分解するには、時間も掛かるし面倒であり、そして、部品の管理が大変である。
尚、特開  平3-240648別広報の場合、対角線状に４つのパーツに分解でき、４つの
パーツを常に一定の存在に維持して、つまり、４つのパーツを分解しないで通常の
主パレットとして、使用した上で、付属パレットを主パレット本体に接続した場合、
ボルト３本で固定するだけではあるが、ボルト自体の性質が普遍的であり、横嵌合式とは
言え、強度的に更にパレットの安定性と接続に費やす時間、分解する時間の概念が甘いと思われる。又、特開  平3-240648別広報と同様に、対角線状に５つのパーツに分解、結合するには時間も掛かるし面倒であり、そして、部品の管理が大変である。
【課題を解決するための手段】
【０００７】
請求項１は、本体部と該本体部の対向する一対の面に、着脱可能に取り付けられる一対の付属部とを具備し、前記本体部の前記一対の面には、一方向からの嵌合を許容する嵌合凹部が設けられており、一方前記付属部には、前記嵌合凹部に嵌合する嵌合凸部が、設けられており、前記本体部及び付属部の内、四分の一円形型嵌合凹部を設けた前記本体部は、一対の上面と桁部側面に嵌合凹部を設けた事を特徴とし、一方、四分の一円形型嵌合凸部を設けた前記付属部は、片方桁部側面に嵌合凸部を設け、四分の一円形型嵌合凹部を設けた前記本体部の桁部側面嵌合凹部に対し、四分の一円形型嵌合凸部を横方向から上部方向に掛けて、四分の一円形軌道の曲線を描かせながら、嵌合させる特徴を有する組立式パレット。
【０００８】
請求項２は、ボルトを使用して嵌合を行う事を特徴とする、前記請求項１記載の組立式パレット。
【０００９】
請求項３は、ボルトを使用しないで嵌合を行う事を特徴とする、前記請求項１記載の
組立式パレット。
【００１０】
請求項４は、前記本体部は、前記本体部の一対の面に、四分の一円形型の嵌合凹部を設け、中央部に位置する正方形の桁部により前記本体部の形状が、長方形体を形成し、フォークの差し穴の間隔が、正方形の桁部の中心から四面総てに於いて均等となり、一方、中央部に位置する長方形の桁部により前記本体部の形状が、正方形体を形成し、フォークの差し穴の間隔が、長方形桁部の中心から四面の内の二面に於いて、均等にならない特徴を有し、前記付属部は、四分の一円形型嵌合凸部を設け、前記本体部の一対の面に形成された四分の一円形型嵌合凹部に、嵌合する事を特徴とし、係る正方形体及び、長方形体の前記本体部相互に嵌合する事を特徴とした請求項１又は、請求項２又は、請求項３記載の組立式パレット。
【００１１】
請求項５は、前記本体部に於ける、四分の一円形型の嵌合凹部は、前記本体部の一対の面に単数個又は、複数個の嵌合凹部を設け、一方、前記付属部に於ける、四分の一円形型の嵌合凸部は、前記付属部片方の面に、単数個又は、複数個の嵌合凸部を設けた事を特徴とする請求項１又は、請求項２又は、請求項３又は、請求項４に記載の組立式パレット。
【発明の効果】
【００１２】
以上により、この発明は、特開  平3-240648号広報の特徴と類似点が多いが、特開  
平3-240648号広報よりは強度、耐久性に優れている。分解又は、嵌合は容易で簡単で
迅速的である。又、付属パレットがコンパクトであるため、トラックに携行して臨時に
対応でき、使用しない時は発砲スチロールの代役などに使用する等、フォーク用そして、トラックに積載して運搬用としても使用できる利点がある。又、保管も付属パレットに
限り、各々に適したラック棚などに保管して管理できる。更にボルトの有無に於いて、
例え付属パレットの下の地面が凹凸であった場合にも、主たるパレットと付属パレット
の凹凸部の密着部分に摩擦が生じて、簡単にはずれない。又、付属パレットの先端部に
荷重が掛かっても、両パレットの凹凸部と両パレットの断面的な先端部どうしの密着部分の下方に、力が掛かり簡単にはずれない。只、完璧を目指し、安全性を追求するとすれば、ボルトの存在は大きい。
【発明を実施するための最良の形態】
【００１３】
主たるパレット、付属パレットの種類を増やした事により、荷のサイズに適応させ、
尚且つ、主たるパレット、付属パレットの特徴と構造上、組立と分解の迅速化を実現した。
【実施例１】
【００１４】
以下、この発明の実施の形態は、図面より説明する。  図１と図２又は、図３は、正方形体のＬ型嵌合凹部付主たるパレット１Ａ３、１Ａ１、又は、１Ａ２と、Ｌ型嵌合凸部付付属パレット２Ａ３、２Ａ１、又は、２Ａ２を組み立てた事による組立後の組立パレット３Ａ３、３Ａ１、又は、３Ａ２の立体図であり、Ｌ型
嵌合凹部付主たるパレットの一対の面にＬ型嵌合凹部各１個、２個又は、３個の５Ａ３、５Ａ１、又は、５Ａ２を設け、Ｌ型嵌合凹部がある一対の側面の両端に、上部付ボルト
用５の上部ネジ谷１を、２つずつ計４つ設けた。一方、Ｌ型嵌合凸部付付属パレットの
片方側面に、Ｌ型嵌合凸部１個、２個又は、３個の７Ａ３、７Ａ１、又は、７Ａ２を設け、Ｌ型嵌合凸部付付属パレットに、脱落防止用ワッシャー１１付き上部付ボルト５とボルト締付用工具の保管用具２４に、ボルト締付用工具２３を格納して一体となった２５を設けた。そして、Ｌ型嵌合凸部付付属パレットの上面のＬ型嵌合凸部の付け根中央付近に、凹部型三角柱取っ手２０とＬ型嵌合凸部がある側面の反対側の側面及び、図２６（Ｂ）の様に、Ｌ型嵌合凸部の裏側面に半円柱型取っ手１９を設けて、組立、分解、持ち運びを容易にしている。
【００１５】
尚、組立、分解方法は、Ｌ型嵌合凸部付付属パレットの各嵌合凸部７Ａ３、７Ａ１、
又は、７Ａ２が、上方から垂直降下して、Ｌ型嵌合凹部付主たるパレットの各嵌合凹部
５Ａ３、５Ａ１、又は、５Ａ２に嵌合させ、ボルト締付用工具の保管用具２４に、ボルト締付用工具２３を格納して一体となった２５から、ボルト締付用工具２３を取り出し、
ボルトを締付け、分解はその逆の方法である。
【００１６】
更に、荷のサイズを鑑みた時、正方形体のＬ型嵌合凹部付主たるパレット１Ａ３、
１Ａ１、又は、１Ａ２の内、１Ａ１は、Ｌ型嵌合凹部の面積が多すぎて、１Ａ２よりも
荷崩れの恐れがあり、せめて１Ａ１以外の１Ａ３、及び、１Ａ２が理想だと思われる。
【００１７】
又、正方形体のＬ型嵌合凹部付主たるパレットの各々の側面に存在するフォークの
差し穴６と６′は、中央桁部が長方形の場合であり、長方形桁部の中心より、フォーク
の差し穴の間隔が均等にならない。一方、図２１（Ａ）の分解図に於いて、長方形体の
Ｌ型嵌合凹部付主たるパレット１Ａ３′の各々の側面に存在する、フォークの差し穴６と６は、中央桁部が正方形の場合であり、正方形桁部の中心より、フォークの差し穴の間隔が均等となり、図２８（Ｂ）のフォークの縦差し１７又は、フォークの横差し１８の内、フォークの横差し１８を実施した場合に於いて、フォークの差し穴の間隔が、Ｌ型嵌合
凹部付主たるパレットの４面とも均等になるため、パレット自体のバランスが、フォークの差し穴６′の方より安定し、トラックに積載する上でも利点がある。
【００１８】
而して、長方形体のＬ型嵌合凹部付主たるパレット１Ａ３′主体の組立後の組立パレットに、荷を積載して、重心を考慮し、組立後の組立パレットの安定性やフォークリフトの安定性を鑑みた時、前記長方形体のＬ型嵌合凹部付主たるパレット１Ａ３′を選択した方が望ましいと思われる。尚、長方形体のＬ型嵌合凹部付主たるパレット１Ａ３′（Ｂ）に於ける、図２１の組立後の長方形体のＬ型嵌合組立パレット３Ａ３′（Ｂ）以外の長方形体の各々の主たるパレットの図面は省略する。
【００１９】
係る図１と図２又は、図３は、ボルト関連のパーツをベースに説明したが、一方ボルト
関連パーツ無しに於いて、例えば、Ｌ型嵌合凹部付主たるパレットの下の地面が凹凸で
あった場合に、Ｌ型嵌合凹部付主たるパレットとＬ型嵌合凸部付付属パレットの凹凸部
の密着部分に、摩擦が生じて簡単にはずれない。又、Ｌ型嵌合凸部付付属パレットの先端部分に荷重が掛かっても、両パレットの凹凸部と両パレットの断面的な先端部どうしの
密着部分の下方に、力が掛かり簡単にははずれない。はずれるとするならば、力のベク
トルが、Ｌ型嵌合凸部付付属パレットの平面の上方の垂直方向に、働いた時だけ分離する。又、工場内の平坦で地面がコンクリートの所やトラックの荷台の上に置いた場合等、別に影響はない。只、完璧を目指し、安全性を追求するとすれば、ボルトの存在は大きい。ここで、ボルト関連パーツ無しに於いても、半円柱型取っ手１９と凹型三角柱取っ手
２０は必需部品であり、組立、分解又は、持ち運びを容易にする事が出来る。
【００２０】
さて、前記記載のＬ型嵌合凹部付主たるパレットは、特性上、単独で運用できる利便性があり、一方、前記記載のＬ型嵌合凸部付付属パレットは、Ｌ型嵌合凸部付付属パレット
自体、単独に運用できる利便性がない。従って、Ｌ型嵌合凸部付付属パレットは、前記
Ｌ型嵌合凹部付主たるパレットと一体となって、初めて効力を発揮し、緊急時に即対応
できるボルトの有無を持って、状況に適応できる特徴を有し、又、Ｌ型嵌合凸部付付属
パレットを携行して、トラックに積載する等、予想や予測できない先を解決できる利点が
ある。
【００２１】
ここで、このＬ型嵌合凹部付主たるパレットとＬ型嵌合凸部付付属パレット及び、二本体嵌合用Ｌ型、斜形型嵌合凸部付付属パレットの材質であるが、プラスチック性合成樹脂パレットであってもいいし、釘を使用しない木製パレットであってもいい。只、図２０（Ａ、Ｂ又は、Ｃ）の四分の一円形型嵌合凹部付主たるパレット１Ｃ１、１Ｃ２、又は、１Ｃ３及び、四分の一円形型嵌合凸部付付属パレット２Ｃ１、２Ｃ２、又は、２Ｃ３に限り、製造が釘を使用しない木製での製造に無理がある事から、プラスチック性合成樹脂パレットでの製法に適していると思われ、又、全般的に見ても、プラスチック製合成樹脂製法で製造した方が適していると思われる。
【００２２】
以上、これから掲げる以下、図４以降の各主たるパレット、付属パレットの図面は、
図２１（Ａ）の長方形体の主たるパレット以外の、正方形体の主たるパレットとボルト
及び、ボルト関連パーツをベースとし、又、材質はプラスチック性合成樹脂製と釘を
使用しない木製又は、木製の釘を使用する木製のパレットに於いての、各々の立体図で
あり又、説明である。
【実施例２】
【００２３】
図４、図５、図６は、斜形型嵌合凹部付の主たるパレット１Ｂ１、１Ｂ２、又は、
１Ｂ３と、斜形型嵌合凸部付付属パレット２Ｂ１、２Ｂ２、又は、２Ｂ３を組立てた事
による組立後の組立パレット３Ｂ１、３Ｂ２、又は、３Ｂ３の立体図であり、斜形型
嵌合凹部付主たるパレットの一対の面に斜形型嵌合凹部各１個、２個又は、３個の５Ｂ１、５Ｂ２又は、５Ｂ３を設け、斜形型嵌合凹部がある一対の側面の両端に、上下部付ボルト２２用の上下部ネジ谷２を、４つずつ計８つ設けた。一方、斜形型嵌合凸部付付属パレットの片方側面に、斜形型嵌合凸部各１個、２個又は、３個の７Ｂ１、７Ｂ２又は、
７Ｂ３を設け、斜形型嵌合凸部付付属パレットに、脱落防止用ワッシャー１１付き上下部付ボルト２２とボルト締付用工具の保管用具２４に、ボルト締付用工具２３を格納して
一体となった２５を設けた。そして、斜形型嵌合凸部付付属パレットの上面の斜形型嵌合凸部の付け根中央付近に、凹部型三角柱取っ手２０と斜形型嵌合凸部７Ｂ１、７Ｂ２、又は、７Ｂ３がある側面の反対側の裏側面に、図２６（Ａ）の裏返ししたＢ３′参照の、
凹型三角柱取っ手２０を設け、又、斜形型嵌合凸部７Ｂ１、７Ｂ２、又は、７Ｂ３が構造上、先端部に、スペースがないために、斜形型嵌合凸上部に設けて、組立、分解、持ち運びを容易にしている。
【００２４】
尚、組立、分解方法は、斜形型嵌合凸部付付属パレットの各嵌合凸部が、上方から
垂直降下して、斜形型嵌合凹部付主たるパレットの各嵌合凹部に嵌合させ、ボルト締付用工具の保管用具２４に、ボルト締付用工具２３を格納して一体となった２５から、ボルト締付用工具２３を取り出し、ボルトを締付け、分解はその逆の方法である。
【００２５】
更に、斜形型嵌合凹部付の主たるパレットと斜形型嵌合凸部付付属パレットの組立後の３Ｂ１、３Ｂ２、又は、３Ｂ３に付き、ボルト関連パーツ有無に於いて、例えば、斜形型
嵌合凹部付主たるパレットの底面が凹凸であった場合に、斜形型嵌合凹部付主たるパレットと斜形型嵌合凸部付付属パレットの凹凸嵌合部の密着部分の斜面に、あまり摩擦が生
じず、又、斜形型嵌合凸部付付属パレットの先端部分に、荷重が掛かった場合、Ｌ型嵌合凹凸部より、力のベクトルが斜上方に分散、スライドして、はずれやすいと思われ、その
ためボルトを計４つ、２２を持って固定維持をしなければならない。尚、斜形型嵌合凹部付主たるパレットと斜形型嵌合凸部付付属パレットの凹凸部の斜面に、滑り止めなる要素を施すと、ボルトも必要ないのかも知れない。只、完璧を期する場合に於いて、この場合どちらにしろボルトは必要であると思われる。
【００２６】
而して、斜形型嵌合凹部付主たるパレットと斜形型嵌合凸部付付属パレットの説明上、
実施例１のＬ型嵌合凹部付主たるパレットとＬ型嵌合凸部付付属パレットの所で、詳細
に述べた関係から以下、類似点が多いので、Ｌ型嵌合凹部付主たるパレットとＬ型嵌合
凸部付付属パレットの説明を参照してもらい、実施例２の〔００２３〕、〔００２４〕、
〔００２５〕が重複しない範中で実施例１〔００１６〕、〔００１７〕、〔００１８〕、
〔００２０〕、〔００２１〕、のＬ型を斜形型に置き換えての説明とする。
【実施例３】
【００２７】
図７は、正方形体のＬ型嵌合凹部付主たるパレット１Ａ３（Ａ）そして、表裏のＬ型
嵌合凸部付付属パレット２Ａ３（Ｂ及びＢ′）の立体構造図である。Ｌ型嵌合凹部付
主たるパレット１Ａ３（Ａ）は、上部デッキボード３を有し、Ｌ型嵌合凹部付主たる
パレットの上部デッキボード３一対の面に、凹嵌合部５Ａ３を各３個ずつ設け、その両端上部にボルト用の上部ネジ谷１を２つずつ計４つ設けている。又、一対のＬ型嵌合凹部
５Ａ３の側面２ヶ所に、フォークの差し穴６を２つと、Ｌ型嵌合凹部５Ａ３のない一対の側面２ヶ所に、フォークの差し穴６′を２つ有し、フォークの差し穴６と６′の間隔は、凹嵌合部５Ａ３の影響で異なっている。又、フォークの差し穴６と６′に面取り８を施し、露出した桁部９が一対の嵌合凹部とフォークの差し穴の壁側に、設けられている。ここで、桁部９は嵌合凹部だけでなく、中央、両サイドに存在するが、内部構造でないので省略する。そして、下部デッキボード１０がＬ型嵌合凹部付主たるパレットの底面に形成されている。
【００２８】
一方、Ｌ型嵌合凸部付付属パレット２Ａ３（Ｂ及びＢ′）は、上部デッキボード３の
片方側に、嵌合凸部７Ａ３を３個有し、上部デッキボード３のＬ型嵌合凸部７Ａ３の付け根中央付近に凹部型三角柱取っ手２０を設け、Ｌ型嵌合凸部の反対側側面中央に、凹部型半円柱取っ手１９を設けた。又、一対の側面にフォークの差し穴６を設け、フォークの差し穴に面取り８を施した。ここで、付属パレットのフォークの差し穴６と主たるパレットのフォークの差し穴６どうしの間隔は、Ｌ型嵌合凹部付主たるパレットが正方形体、
長方形体を問わず、一致するサイズである。そして、フォークの差し穴の壁側に桁部９を形成し、上部デッキボード３の上面中央付近に、ボルト締付用工具の保管用具２４に、
ボルト締付用工具２３を格納して一体となった２５を有し、上部デッキボード３の両端の短辺に平行し、尚且つ、上部デッキボード３と桁部９の中間にボルト５を設け、ボルトの先端部は、嵌合凸部側の側面に向かって形成され、又、下部デッキボード１０がＬ型嵌合凹部付主たるパレットの底面に形成されている。
【実施例４】
【００２９】
図８は、正方形体のＬ型嵌合凹部付主たるパレット１Ａ３（Ａ）の上部構造１Ａ′３
の上部デッキボード３及び、下部デッキボード１０と桁部９が一体となった正方形体の
Ｌ型嵌合凹部付主たるパレット１Ａ′３′そして、正方形体の四分の一円形型嵌合凹部付
主たるパレット１Ｃ３（Ｂ）の上部構造１Ｃ′３の上部デッキボード３及び、下部デッキボード１０と桁部９と一体となった正方形体の四分の一円形型嵌合凹部付主たるパレット１Ｃ′３′の下部構造の立体分解図である。
【００３０】
正方形体のＬ型嵌合凹部付主たるパレット１Ａ３（Ａ）の上部構造１Ａ′３の上部
デッキボード３の一対の中央部に、Ｌ型嵌合凹部５Ａ３を３個設け、その両端に水平に
カットした半円柱状のネジ谷４を、２つずつ計４つ設けている。一方、下部デッキボード１０と桁部９と一体となった正方形体のＬ型嵌合凹部付主たるパレット１Ａ′３′（Ａ）は、Ｌ型嵌合凹部５Ａ３′を３個設け、水平にカットした裏返しの半円柱状のネジ谷４′を、一対の面に２つずつ計４つ設け、Ｌ型嵌合凹部５Ａ３は桁部９と一体となり、中央
桁部９を中心にして左右対称に、Ｌ型嵌合凹部付桁部２つを設け、四隅に相似状の桁部９を４つ形成し、更に、中央桁部９を中心にして、左右対称に桁部９を２つずつ有し、各
桁部９の間にフォークの差し穴６及び、もう片方のフォークの差し穴６′を形成し、又、フォークの差し穴６及び、６′には面取り８を施し、又、下部デッキボード１０と桁部９と一体となった下部デッキボード１０が、Ｌ型嵌合凹部付主たるパレットの底面に形成されている。
【００３１】
一方、正方形体の四分の一円形型嵌合凹部付主たるパレット１Ｃ３（Ｂ）の上部構造
１Ｃ′３の上部デッキボード３は、上部デッキボード３の一対の面の中央部に、四分
の一円形型嵌合凹部５Ｃ３を３個設け、下部構造の下部デッキボード１０と桁部９と
一体となった、正方形体の四分の一円形型嵌合凹部付主たるパレット１Ｃ′３′は、
四分の一円形型嵌合凹部付桁部９の上部と側面に、四分の一円形型嵌合凹部５Ｃ３′を
３個ずつ有し、一対の面の下桁部と下部デッキボード１０の中間に、ネジ谷１′を設け、
係る以下、正方形体の四分の一円形型嵌合凹部付主たるパレット１Ｃ３（Ｂ）の上部デッキボード３及び下部デッキボード１０と一体となっている桁部９の四分の一円形型嵌合
凹部付主たるパレット１Ｃ′３′（Ｂ）の各々の説明は、前記記載の正方形体のＬ型嵌合凹部付主たるパレット１Ａ３の上部構造１Ａ′３又は、下部構造１Ａ′３′と相似しているので省略する。
【実施例５】
【００３２】
図９、図１０、及び図１１は、Ｌ型嵌合凹部付主たるパレット３種類（Ａ、Ｂ又は、Ｃ）、斜形型嵌合凹部付主たるパレット３種類（Ｄ、Ｅ又は、Ｆ）、又は、四分の一円形型嵌合凹部付主たるパレット３種類（Ｇ、Ｈ又は、Ｉ）の分解立体図と合体立体図のリストであり、詳細は図９がＬ型嵌合凹部付主たるパレット３種類（Ａ、Ｂ又は、Ｃ）、図１０が斜形型嵌合凹部付主たるパレット３種類（Ｄ、Ｅ又は、Ｆ）、そして、図１１が四分の一円形型嵌合凹部付主たるパレット３種類（Ｇ、Ｈ又は、Ｉ）である。
【００３３】
図９は、正方形体のＬ型嵌合凹部付主たるパレットの上部デッキボード３一対の中央
付近に、存在するＬ型嵌合凹部５Ａ１を有する上部構造1Ａ′１と下部デッキボード１０
と桁部９が一体化した下部構造に、Ｌ型嵌合凹部５Ａ１′を有する１Ａ′１′それと、
上下の合体で完成される、Ｌ型嵌合凹部付主たるパレット１Ａ１（Ａ）であり、以下、
上部構造にＬ型嵌合凹部５Ａ２を有する１Ａ′２と下部構造に、Ｌ型嵌合凹部５Ａ２′
を有する１Ａ′２′との合体で完成される、Ｌ型嵌合凹部付主たるパレット１Ａ２（Ｂ）である。更に、上部構造にＬ型嵌合凹部５Ａ３を有する１Ａ′３と下部構造に、Ｌ型嵌合凹部５Ａ３′を有する１Ａ′３′との合体で完成される、Ｌ型嵌合凹部付主たるパレット
１Ａ３（Ｃ）である。
【００３４】
以下、図１０、図１１は、前記説明と相似しているので、省略して説明する。
図１０は、正方形体の斜形型嵌合凹部付主たるパレットの斜形嵌合凹部５Ｂ１、５Ｂ２、又は、５Ｂ３を有する上部構造を順番に１Ｂ′１、１Ｂ′２、又は、１Ｂ′３であり、
下部構造は順番に1Ｂ′１′、１Ｂ′２′、又は、１Ｂ′３′である。そして、上下の合体で構成される、斜形型嵌合凹部付主たるパレットは、順番に１Ｂ１（Ｄ）、１Ｂ２（Ｅ）、又は、１Ｂ３（Ｆ）であり、図１１は、四分の一円形型嵌合凹部付主たるパレットの四分の一円形型嵌合凹部５Ｃ１、５Ｃ２、又は、５Ｃ３を有する上部構造を順番に１Ｃ′１、１Ｃ′２、又は、１Ｃ′３であり、下部構造は順番に1Ｃ′１′、１Ｃ′２′、又は、１Ｃ′３′である。そして、上下の合体で構成される、四分の一円形型嵌合凹部付
主たるパレットは、順番に１Ｃ１（Ｇ）、１Ｃ２（Ｈ）、１Ｃ３（Ｉ）である。
【実施例６】
【００３５】
図１２は、Ｌ型嵌合凸部付付属パレット２Ａ３（Ａ、Ａ′）の側面的な表裏の上部構造２Ａ′３又は、下部構造２Ａ′３′と四分の一円形型嵌合凸部付付属パレット２Ｃ３（Ｂ、Ｂ′）の表裏の上部構造２Ｃ′３と下部構造２Ｃ′３′の分解立体図であり、Ｌ型嵌合凸部付付属パレット２Ａ３（Ａ、Ａ′）は、上部デッキボード３の片方中央付近に、３個のＬ型嵌合凸部７Ａ３を有し、上部デッキボード３底面の両端の短辺に平行して、水平にカットされた上部半円筒状のボルト用筒１４を両サイドに１ケずつ計２ケ設け、上部デッキボード３上面の３個のＬ型嵌合凸部７Ａ３の付け根の中央部付近に、凹型三角柱取っ手２０を設け、又、上部デッキボード３の中央付近には、ボルト締付用工具の保管用具２４の上部構造部２４ａを設けた。更に、下部デッキボード１０と桁部９が一体となった下部構造２Ａ′３′は、中央と両サイドに桁部９を設け、桁部９どうしの間隔がフォークの差し穴６となり、フォークの差し穴６に面取り８を施し、両サイド桁部９の上部に脱落防止用ワッシャー１１付き上部ボルト５と水平にカットされた下部半円筒状のボルト用筒１４′を両サイドに１ケずつ計２ケを有し、中央桁部９の中央付近に、ボルト締付用工具の保管用具２４の下部構造部２４′を設け、上部構造部と下部構造部の合体後のボルト
締付用工具２３を格納して一体となった２５を構成している。又、Ｌ型嵌合凸部７Ａ３の
裏側面に、半円柱型取っ手１９を設けて、組立、分解、持ち運びを容易にしている。
【００３６】
一方、四分の一円形型嵌合凸部付付属パレット２Ｃ３（Ｂ、Ｂ′）の側面的な表裏の上部構造２Ｃ′３と下部構造２Ｃ′３′の内、上部構造２Ｃ′３は、上部デッキボード３に数多き付属パレットの中で、唯一上部構造に嵌合凸部が形成されていない付属パレットであり、上部デッキボード３の片側中央付近に、凹型三角柱取っ手２０とボルト締付用工具の保管用具２４の上部構造部２４ａを上部デッキボード３の中央付近に設け、更に、下部
構造２Ｃ′３′の中央桁部９の凹型三角柱取っ手２０側の側面に、四分の一円形型嵌合
凸部７Ｃ３を３個有し、下部デッキボード１０と桁部９が一体となった下部構造
２Ｃ′３′は、中央と両サイドに桁部９を設け、桁部９どうしの間隔がフォークの差し穴６となり、フォークの差し穴６に面取り８を施し、両サイド桁部９の上部に脱落防止用
ワッシャー１１付き下部ボルト２１と水平にカットされた上部半円筒状のボルト用筒１４と下部半円筒状のボルト用筒１４′が合体したボルト２１を両サイドに１ケずつ計２ケ
有し、中央桁部９の中央付近に、ボルト締付用工具の保管用具２４の下部構造部２４′を設け、上部構造部２Ａ′３と下部構造部２Ａ′３′の合体後にボルト締付用工具２３を
格納して一体となった２５を構成し、又、四分の一円形型嵌合凸部７Ｃ３の裏側面に半円柱型取っ手７を設けて、組立、分解、持ち運びを容易にしている。
【実施例７】
【００３７】
図１３又は、図１４又は、図１５は、二本体嵌合用Ｌ型嵌合凸部付付属パレットＡ１、Ａ２、又は、Ａ３の組立後のパレット１Ａ１、１Ａ２、又は、１Ａ３の組立立体図である。
そして、図１６、図１７又は、図１８は、二本体嵌合用斜形型嵌合凸部付付属パレット
Ｂ１、Ｂ２、又は、Ｂ３と組立後のパレット１Ｂ１、１Ｂ２又は、１Ａ３の各組立立体図であり、二本体嵌合用Ｌ型嵌合凸部付付属パレットは、各Ｌ型嵌合凸部１個、２個又は、３個の７Ａ１、７Ａ２、又は、７Ａ３が、一対の面の左右対称に、１つずつ計２つ設けられており、上部中央付近のＬ型嵌合凸部７Ａ１、７Ａ２、又は、７Ａ３の付け根中央付近に、左右対称の凹型三角柱取っ手２０を２つ設け、結合、分解を容易にした。又、脱落防止用ワッシャー１１付き上部ボルト３０を、Ｌ型嵌合凸部７Ａ１、７Ａ２、又は、７Ａ３の上部両端に、Ａ１は、左右対称に２つずつ計４つ、Ａ２は、左右対称に２つずつ計４つ、Ａ３は、Ｌ型嵌合凸部３個の内、真中の嵌合凸部を除いた両サイドの嵌合凸部に左右対称に２つずつ計４つを有し、組立方法は、Ｌ型嵌合凹部付主たるパレット１Ａ１、１Ａ２、又は、１Ａ３を各２つずつ各々に並列させ、並列した２つのＬ型嵌合凹部付主たるパレットの間隔は、二本体嵌合用Ｌ型嵌合凸部付付属パレット短辺の間隔として、垂直降下して嵌合し、ボルト３０を締める方法である。又、Ｌ型嵌合凹部付主たるパレット１Ａ１、１Ａ２又は、１Ａ３の嵌合凹部底面に、ボルト用ネジ谷３２を、二本体嵌合用Ｌ型嵌合凸部付付属パレットに具備するボルトの本数だけ設け、運搬方法は、Ｌ型嵌合凹部付
主たるパレットの片方内側のフォークの差し穴に、矢印３１の様に、フォークの刃を差し込んで運搬する横差し１８の方法であり、フォークリフトの差し刃が長い場合は、縦差し１７と併用する事が出来る。
【００３８】
ここで、Ｌ型嵌合凹部付主たるパレットの嵌合凹部底面のボルト用ネジ谷３２に付いて、主たるパレット自体、単独で常時より運用されるため、特に臨時に使用される、二本体嵌合用Ｌ型嵌合凸部付付属パレットのボルト用ネジ谷３２に、ゴミや土などの不純物が
堆積する恐れがある。従って、各ネジ谷に対するネジ山を持ったネジ腺３２′を、通常はそれを持って蓋をして置くなどの処置を施し、使用時にＬ型嵌合凹部付主たるパレットのボルト用上部ネジ谷１又は、下部ネジ谷１′にネジ込んで置いてもいい。
【００３９】
一方、図１６、図１７又は、図１８の二本体嵌合用斜形型嵌合凸部付付属パレットＢ１、Ｂ２、又は、Ｂ３の立体組立図と断面図であり、二本体嵌合用Ｌ型嵌合凸部付付属パレットと相似しているので、省略して説明する。
二本体嵌合用斜形型嵌合凸部付付属パレットＢ１、Ｂ２、又は、Ｂ３は、一対の相反する面に、斜形型嵌合凸部７Ｂ１，７Ｂ２、又は、７Ｂ３を有し、組立方法は垂直降下して嵌合する方法であり、ネジ腺に於いて、斜形型嵌合凹部付主たるパレットの場合の二本体嵌合用ボルト用ネジ谷が、Ｌ型嵌合凹部付主たるパレットの場合の二本体嵌合用ボルト用ネジ谷より深く、当然ネジ腺  ３２′も長くなるため、斜形型嵌合凹部付主たるパレットの一対の面に有するネジ谷１又は、１′にネジ込んでもはみだしてしまうため、ネジ腺
３２′自体の性質をゴム腺に変え、尚且つ、短く成形してネジ谷１又は、１′に嵌め込んで置く方がいいと思われる。
【実施例８】
【００４０】
図１９は、正方形体の四分の一円形型嵌合凹部付主たるパレット１Ｃ３の立体図と四分の一円形型嵌合凸部付付属パレット２Ｃ３の立脚立体図であり、四分の一円形型嵌合凹部付主たるパレット１Ｃ３の上部に、５Ｃ３の嵌合凹部３個を一対の上面と側面中央部に有し、５Ｃ３の嵌合凹部の両端側面に、フォークの差し穴６と片方の一対の側面に、フォークの差し穴６′を有する。又、一対の嵌合凹部５Ｃ３の側面の下部構造に、ボルト用下部ネジ谷１′を２つずつ、計４つを形成し、一方、四分の一円形型嵌合凸部付付属パレット２Ｃ３は、片方の側面に、四分の一円形型嵌合凸部３個７Ｃ３を有し、下部構造にボルト２１を２つ、四分の一円形型嵌合凸部付付属パレット２Ｃ３の短辺に平行して形成され、上部中央付近に、ボルト締付用工具の保管用具２４に、ボルト締付用工具２３を格納して一体となった２５を設け、嵌合凸部７Ｃ３の付け根中央付近に、凹部型三角柱取っ手２０を有し、又、嵌合凸部７Ｃ３の反対側側面に、半円柱型取っ手１９を有する。
【００４１】
更に、組立て方法は、四分の一円形型嵌合凸部付付属パレット２Ｃ３を逆立脚させ、
嵌合凸部７Ｃ３の上面が、四分の一円形型嵌合凹部付主たるパレット１Ｃ３の側面に平行
になる様にし、四分の一円形型嵌合凸部付付属パレット２Ｃ３を持って、四分の一円形型嵌合凹部付主たるパレット１Ｃ３の嵌合凹部５Ｃ３の側面に嵌め込み、四分の一円形軌道を描きながら、四分の一円形型嵌合凹部付主たるパレット１Ｃ３の上部にある、もう一方の嵌合凹部５Ｃ３迄、スライドさせ、ボルト２１で固定させる方法である。
【００４２】
ここで、二本体嵌合用四分の一円形型嵌合凸部付付属パレットを考案したが、嵌合方法
が二本体嵌合用パレットを立脚させなければ嵌合できないため、一方は、前記通りの手順に従って嵌合可能だが、もう一方の嵌合凸部に嵌合するためには、四分の一円形型嵌合
凹部付主たるパレットを立脚させて、嵌め込む方法しかなく、重量から言って四分の一
円形型嵌合凹部付主たるパレットが重いために、例えば、倒れたり、なかなか嵌合部どうしが合致しないで時間を費やしたりなど、様々な障害が生じる恐れと例え、それらを考慮して嵌合したとしても、ボルトの設置のスペースがないのと、フォークリフトで持ち上げた時、組立後のパレットがＶの字に変形し、分解する可能性から、荷崩れの恐れがあるため断念し、この考案は廃棄とした。
【実施例９】
【００４３】
図２０は、四分の一円形型嵌合凹部付主たるパレットの立体図と四分の一円形型嵌合
凸部付付属パレットの立体図のリストであり、実施例６〔００４０〕、〔００４１〕の説明（Ｃ）が重複及び、相似しているために、その範中でない説明を付け加えて、説明とする。四分の一円形型凹嵌合部１個の１Ｃ１（Ａ）は、嵌合凹部に５Ｃ１を有する主たるパレットであり、四分の一円形型凸嵌合部１個の２Ｃ１（Ａ）は、嵌合凸部に７Ｃ１を有する附属パレットであり、それと四分の一円形型嵌合凹部２個の１Ｃ２（Ｂ）は、嵌合凹部に５Ｃ２を有する主たるパレットであり、四分の一円形型嵌合凸部２個の２Ｃ２（Ｂ）は、嵌合凸部に７Ｃ２を有する附属パレットである。
【実施例１０】
【００４４】
図２１は、長方形体のＬ型嵌合凹部付主たるパレット１Ａ３′と表裏のＬ型嵌合凸部
付付属パレット２Ａ３の組立後の立体組立パレット３Ａ３′（Ｂ）と長方形体のＬ型嵌合凹部付主たるパレット１Ａ３′の分解立体図の上部構造１Ａ′３と下部構造１Ａ′３′（Ａ）である。ここで、実施例１の所で説明しているため、Ｌ型嵌合凹部付主たるパレットの説明は簡略化するが所謂、正方形体のＬ型嵌合凹部付主たるパレット１Ａ３を長方形体にした立体図であり、正方形体のＬ型嵌合凹部付主たるパレット１Ａ３を長方形体に
した場合、中央桁部ｃ（Ａ）は、嵌合凹部５Ａ３桁部の長辺の辺長を軸に正方形型桁部ｃを形成し、正方形型桁部ｃの中心から左右に２分の１ｄ、２分の１ｄ′の所でフォーク
の差し穴ｅ、ｅ′を形成し、フォークの差し穴ｅ、ｅ′が均等の位置にあるためのｄは、２分の１ｄ、２分の１ｄ′が同じ辺長でなければならず、その要件を正方形型桁部ｃが満たしており、一方、長方形型桁部は、２分の１ｄと２分の１ｄ′が同じ辺長にならない
ため、フォークの差し穴の間隔が狭くなり、必然的に正方形体のＬ型嵌合凹部付主たる
パレットとなる。
【実施例１１】
【００４５】
図２２と図２３の内、図２２は、二本体嵌合用Ｌ型嵌合凸部付付属パレットＡ１（Ａ）、Ａ２（Ｂ）、又は、Ａ３（Ｃ）の立体図と二本体嵌合用斜形型嵌合凸部付付属パレットＢ１、（Ｄ）Ｂ２（Ｅ）、又は、Ｂ３（Ｆ）の立体図リストであり、図２３は、表裏のＬ型嵌合凸部付付属パレット２Ａ１（Ａ、Ａ′）、２Ａ２（Ｂ、Ｂ′）、及び、２Ａ３（Ｃ、Ｃ′）の立体図と表裏の斜形型嵌合凸部付付属パレット２Ｂ１（Ｄ、Ｄ′）、２Ｂ２（Ｅ、Ｅ′）、及び、２Ｂ３（Ｆ、Ｆ′）の立体図及び、表裏の四分の一円形型嵌合凸部付付属パレット２Ｃ１（Ｇ、Ｇ′）、２Ｃ２（Ｈ、Ｈ′）、及び、２Ｃ３（Ｉ、Ｉ′）の立体図リストである。
【実施例１２】
【００４６】
図２４は、ボルトの断面図とそれに基づくボルト１１、１２、又は、１３、１３′及び、１４、１４′と１５の立体図であり、ボルトの構造は、図２４の立体分解図にあるワッシャー１１スライド空間用円筒部１２（ａ）付、上部半円筒１４とワッシャー１１付ボルト及び、ワッシャー１１スライド空間用円筒部１２（ａ）付、下部半円筒１４′の構成とし、このボルトのワッシャー１１は、脱落防止処置を形成すると供に、耐性を考慮してボルトの材質は鉄製又は、ステンレス系の合金での形成とするが、腐食を考慮すると、ステンレス系の合金の方がいいと思われる。
【００４７】
ここで、ａ（１２）は、ワッシャー１１がａ（１２）の範囲内でスライドする長さを
示し、ｂはネジ山の部分１３又は、１３′の長さと同じに設定し、例えば、ボトルが
主パレットに接続していない状態つまり、主パレットから付属パレットが外れた状態の
場合、ｂ間をワッシャー１１は左右にスライドする構成である。しかし、組立時のパレットの強度の保持を考慮した場合、特にボルトの先端部のネジ山１３とそれに対するネジ谷１及び１′を長く形成した方がいいのかも知れない。
【００４８】
更に、主たるパレットと付属パレットが、嵌合した場合に於いて、主たるパレットに
ボルトのネジ込みが完了した後、ワッシャー１１はａ（１２）からｂを引いた残りの
空間に、実際にはワッシャー１１は移動できない様に形成されている。何故なら、ボルトの摘み部付近のネジ山１３′があるためである。
【００４９】
尚、ボルトの摘み部分１５は、ボルトが主パレットに嵌合された後の摘み部分１５の末端は、付属パレットの側面より、内側に入る様に形成されている。しかるに、ボルト  が主パレットから外れた場合、ボルトの摘み部分１５の反対側の先端部分１３は、付属  パレットの側面よりも内側に入る事は出来ず、例え仮止めした状態でも、ボルト両端のネジ山１３、１３′は、多少付属パレットよりも、はみ出した恰好となる。  
【００５０】
係る、ワッシャー１１がなくても、ボルトと付属パレットの仮締めを施した場合、    ボルトの脱落防止に繋がり、そして、ボルトの先端ネジ山部１３又はネジ山摘み部１３′に破損が生じた場合に、常に交換できる様に、ボルトのカートリッジ化を考案してもいい。ここで、二本体嵌合用Ｌ型嵌合凸部付付属パレット及び、二本体嵌合用斜形型嵌合凸部付付属パレットのボルト３０に於いて、通常の付属パレット用のボルトよりもボルトが短いが、通常の付属パレットのボルトと原理は一緒である。
【実施例１３】
【００５１】
図２５は、ボルト締付用工具２３の立体図であり、ボルト締付用工具２３は、上部に
円柱型摘み部２７と円形型ハンドル２６及び、円形型ハンドルに滑り止め部２６′を有し、円柱型摘み部２７の頂点は、上面と同じ水平レベルにし、中央付近やや下部にネジ山２８を設け、最下部に摘み型凹部２９を設け、主体的な形状の中身は空洞である。
【００５２】
又、ボルト締付用工具の保管用具２４と一体となった２５は、ボルト使用に於ける、
付属パレットとの一体を形成し、言い換えれば、ボルト締付用工具入れ保管用具２４と
言ってもいいが、構造は、上部構造２４ａと下部構造２４′に分けられ上部構造２４ａは、ボルト締付用工具２３がスムーズに格納出来る様に構成し、下部構造２４′の上部
構造２４ａとの接線から下方に、ボルト締付用工具２３のネジ山に対称して、ネジ谷２８′を設けている。  
【００５３】
尚、ボルトの締め付け、解除方法とボルト締付用工具２３の保管方法であるが、ボルト
の締め付け、解除は、ボルト締付用工具入れ保管用具２４にボルト締付用工具２３を格納した２５から円柱型摘み部２７を使ってボルト締付用工具２３を取り出し、ボルトの凸部型摘み部１５に対し、ボルト締付用工具２３の摘み型凹部２９を嵌め込んで、円形型ハンドル２６を利用してネジ回し、設置する方法で、解除はその逆であるが、又、格納もボルト締付用工具入れ保管用具２４にネジ込む方法である。尚、格納後は、ボルト締付用工具入れ保管用具２４とボルト締付用工具２３の上面は、凹凸状態でボルト締付用工具入れ保管用具２４より、締付用工具２３は引っ込んでいる状態であり、荷の障害にならない様に配慮している。
【００５４】
係る平3-240648号広報の場合に於ける、本体と付属部の組立時にボルトにナットと
なると、スパナやラジエットと言った工具が必要になるため、工具の必要性が生じた場合に、スパナやラジエットなどの工具を探し廻ったり等、無駄な時間を費やすなど、工具の確保に問題があり、最初から総ての付属パレットに具備した、前記記載のボルト締付用
工具入れ保管用具２４にボルト締付用工具２３を、格納した２５の意義は大きいと思わ
れる。
【実施例１４】
【００５５】
図２６（Ｂ）は、寝かせた状態のＬ型嵌合凸部付付属パレット２Ａ３に於いて、上部
デッキボード３の裏面２Ａ′３と寝かせた状態のＬ型嵌合凸部付付属パレットの上部デッキボード３の裏面２Ａ′３を立脚させた状態に、桁部と下部デッキボードを合体させた
２Ａ３の立体図であるが、持ち運びに不便性がある場合を考慮して、図の様に（Ｂ）、
半円柱凹部型取っ手１９を設けた。ここで、半円柱凹部型取っ手１９の位置が分かりやすくするために、２Ａ３の上部デッキボード３を裏面にして寝かせた状態に設定し、分かりやすく提供している。
【００５６】
一方、半円柱凹部型取っ手１９に於ける、二本体嵌合用Ｌ型嵌合凸部付付属パレット
Ａ３を裏面にした立体図Ａ３′（Ａ）と凹部型三角柱取っ手２０に於ける、二本体嵌合用斜形型嵌合凸部付付属パレットＢ３の裏面にした立体図Ｂ３′（Ａ）であるが、Ｌ型嵌合凸部７Ａ３に付いては、Ｌ型嵌合凸部７Ａ３のスペースがあるので、半円柱凹部型取っ手１９をＬ型嵌合凸部裏面の上部にも下部にも設ける事が可能だが、斜形型嵌合凹部７Ｂ３に付いては、斜形型嵌合凸部７Ｂ３に、スペースがないので、斜形型嵌合凸部７Ｂ３の
上部しか凹部型三角柱取っ手２０を設けることが出来ない。又、他のＬ型嵌合凸部付付属パレットや斜形型嵌合凸部付付属パレットに於いても同様であり、分かりやすく提供するために、Ａ３′（Ａ）とＢ３′（Ａ）を裏面にして寝かせた状態に設定している。尚、
二本体嵌合用Ｌ型嵌合凸部付付属パレット及び、二本体嵌合用斜形型嵌合凸部付付属
パレットの半円柱凹部型取っ手１９と凹部型三角柱取っ手２０の配置であるが、ボルト
３０の配置によって、異なった設置場所が考えられる。
【００５７】
図２７は、ボルトの配置立体図で１例として、Ｌ型嵌合凸部付付属パレット２Ａ３は、ボルトの配置を２１、２２、又は、５に設定し、本体部と付属部の組立時に、形態の強度を考慮してのボルト位置の配慮であり、５（Ａ）は正規の位置である上部デッキボード３と桁部９に跨るのに対し、下部デッキボード１０と桁部９に跨る様に設定したのが２１（Ｂ）であり、それでも強度を得られない場合に、上下部２２（Ｃ）は、総てに付き４ケ所の位置に配置する様、設定した。係る、力学的に耐性的に強度を保持できないとなれば、上下部２２（Ｃ）総てに付き、４ケ所の位置に配置する様、設定してもいいと思われる。
【実施例１５】
【００５８】
図２８は、正方形体の主たるパレットと付属パレットの組み合わせによる、１０ｔ
ウイングトラックのパレット積載状況の想定平面図とフォークの積載方法であり、１６は発泡スチロールである。１例として、Ｓ（Ａ）は正方形体の主パレット１Ａ３、１Ｂ３、又は、１Ｃ３と正方形体の主パレットに付属パレット２Ａ３、２Ｂ３又は、２Ｃ３を組立てた所謂、組立平面図である。Ｓ（Ａ）は、フォークの縦差し１７（Ｂ）と言われている積載方法での設置状況であり、Ｔ（Ａ）は、図９のフォークの横差し１８（Ｂ）と言われている方法での設置状況である。ここで、ＴとＵ（Ａ）はその応用編であり、フォーク
リフトの刃に於ける、パレットの差し方で、フォーク縦差し１７（Ｂ）とフォーク横差し１８（Ｂ）の平面図であり、主たるパレットと付属パレット１ケとの組み合わせを図２８
（Ａ、Ｂ）の様に基本とし、実用的に言っても、主たるパレットと付属パレット１ケの
組み合わせが一般的組み合わせである。
【産業上の利用可能性】
【００５９】
本発明は、組み立てが容易で簡単で、迅速に適応できる事により、組立前の主たる
パレット、組立後の主たるパレット、付属パレットの利用価値は、工場内、倉庫内、
市場内、運搬用のために用いられるパレットに関する。
【図面の簡単な説明】
【００６０】
【図１】Ｌ型嵌合凹凸部３個に於ける、主たるパレットと付属パレットの立体組立状況図である。
【図２】Ｌ型嵌合凹凸部１個に於ける、主たるパレットと付属パレットの立体組立状況図である。
【図３】Ｌ型嵌合凹凸部２個に於ける、主たるパレットと付属パレットの立体組立状況図である。
【図４】斜形型嵌合凹凸部１個に於ける、主たるパレットと付属パレットの立体組立状況図である。
【図５】斜形型嵌合凹凸部２個に於ける、主たるパレットと付属パレットの立体組立状況図である。
【図６】斜形型嵌合凹凸部３個に於ける、主たるパレットと付属パレットの立体組立状況図である。
【図７】Ｌ型嵌合凹凸部３個に於ける、主たるパレット（Ａ）と付属パレット（Ｂ、Ｂ′）外面的構造立体図である。
【図８】Ｌ型嵌合凹部３個に於ける、主たるパレット（Ａ）の分解図と四分の一円形型嵌合凹部３個に於ける、主たるパレット（Ｂ）の分解図である。
【図９】Ｌ型嵌合凹部１個（Ａ）、２個（Ｂ）又は、３個（Ｃ）に於ける、主たるパレットの分解図の立体リスト図である。
【図１０】斜形型嵌合凹部１個（Ｄ）、２個（Ｅ）又は、３個（Ｆ）に於ける、主たるパレットの分解図の立体リスト図である。
【図１１】四分の一円形型嵌合凹部１個（Ｇ）、２個（Ｈ）又は、３個（Ｉ）に於ける、主たるパレットの分解図の立体リスト図である。
【図１２】Ｌ型嵌合凸部（３個）付付属パレット（Ａ、Ａ′）と四分の一円形型嵌合凸部（３個）付付属パレット（Ｂ、Ｂ′）の分解立体図である。
【図１３】Ｌ型嵌合（１個）凹部付主たるパレット２体と二本体嵌合用Ｌ型嵌合（１個）凸部付付属パレットの立体組立状況図である。
【図１４】Ｌ型嵌合（２個）凹部付主たるパレット２体と二本体嵌合用Ｌ型嵌合（２個）凸部付付属パレットの立体組立状況図である。
【図１５】Ｌ型嵌合（３個）凹部付主たるパレット２体と二本体嵌合用Ｌ型嵌合（３個）凸部付付属パレットの立体組立状況図である。
【図１６】斜形型嵌合（１個）凹部付主たるパレット２体と二本体嵌合用斜形型嵌合（１個）凸部付付属パレットの立体組立状況図である。
【図１７】斜形型嵌合（２個）凹部付主たるパレット２体と二本体嵌合用斜形型嵌合（２個）凸部付付属パレットの立体組立状況図である。
【図１８】斜形型嵌合（３個）凹部付主たるパレット２体と二本体嵌合用斜形型嵌合（３個）凸部付付属パレットの立体組立状況図である。
【図１９】四分の一円形型嵌合凹部（３個）付主たるパレットと四分の一円形型嵌合凸部（３個）付付属パレットの立体組立状況図である。
【図２０】四分の一円形型嵌合凹部（１個、２個又は、３個）付主たるパレット（Ａ）、（Ｂ）、及び、（Ｃ）と四分の一円形型嵌合凸部（１個、２個又は、３個）付付属パレット（Ａ）、（Ｂ）、及び、（Ｃ）との立体組立状況リスト図である。
【図２１】長方形体のＬ型嵌合凹部（３個）付主たるパレットの分解立体図（Ａ）と長方形体のＬ型嵌合凹部（３個）付主たるパレットとＬ型嵌合凸部（３個）付付属パレットとの立体組立状況図（Ｂ）である。
【図２２】二本体嵌合用Ｌ型嵌合凸部付付属パレット（Ａ、Ｂ、又は、Ｃ）と二本体嵌合用斜形型嵌合凸部付付属パレット（Ｄ、Ｅ、又は、Ｆ）の立体リスト図である。
【図２３】表裏のＬ型嵌合凸部付付属パレット（Ａ、Ａ′）、（Ｂ、Ｂ′）又は、（Ｃ、Ｃ′）と表裏の斜形型嵌合凸部付付属パレット（Ｄ、Ｄ′）、（Ｅ、Ｅ′）又は、（Ｆ、Ｆ′）及び、表裏の四分の一円形型嵌合凸部付付属パレット（Ｇ、Ｇ′）、（Ｈ、Ｈ′）又は、（Ｉ、Ｉ′）の立体リスト図である。
【図２４】ボルト側面図とボルト分解立体図である。
【図２５】ボルト用工具の構造断面図と立体拡大図及び、保管要領とボルト締付、解除要領に伴う、立体拡大図である。
【図２６】二本体嵌合用Ｌ型嵌合凸部付付属パレット（Ａ）と二本体嵌合用斜形型嵌合凸部付付属パレット（Ａ）の裏返し立体図の各々の取っ手の配置図及び、Ｌ型嵌合凸部付付属パレット（Ｂ）の各々の取っ手の配置立体図である。
【図２７】立脚したＬ型嵌合凹部（３個）付付属パレットのボルト配置想定立体図（Ａ）、（Ｂ）又は、（Ｃ）である。
【図２８】パレットに於ける、トラック積載状況平面図（Ａ）とフォークの差し方（Ｂ）である。
【符号の説明】
【００６１】
１Ａ１・・・・・正方形体のＬ型嵌合凹部（１個）付主たるパレット
１Ａ′１・・・・正方形体のＬ型嵌合凹部（１個）付主たるパレットの上部
デッキボード
１Ａ′１′・・・正方形体のＬ型嵌合凹部（１個）付主たるパレットの下部
デッキボードと桁部の一体下部構造部
２Ａ１・・・・・Ｌ型嵌合凸部（１個）付付属パレット
５Ａ１・・・・・Ｌ型嵌合凹部（１個）
５Ａ１′・・・・Ｌ型嵌合凹部（１個）の下部構造
７Ａ１・・・・・Ｌ型嵌合凸部（１個）
Ａ１・・・・・・二本体嵌合用Ｌ型嵌合凸部（１個）付付属パレット
３Ａ１・・・・・正方形体のＬ型嵌合凹部（１個）付主たるパレットの両サイドに、
２つのＬ型嵌合凸部（１個）付付属パレットを嵌合させた組立パレット
１Ａ２・・・・・正方形体のＬ型嵌合凹部（２個）付主たるパレット
１Ａ′２・・・・正方形体のＬ型嵌合凹部（２個）付主たるパレットの上部デッキ
ボード
１Ａ′２′・・・正方形体のＬ型嵌合凹部（２個）付主たるパレットの下部デッキ
ボードと桁部の一体下部構造部
２Ａ２・・・・・Ｌ型嵌合凸部（２個）付付属パレット
５Ａ２・・・・・Ｌ型嵌合凹部（２個）
５Ａ２′・・・・Ｌ型嵌合凹部（２個）の下部構造
７Ａ２・・・・・Ｌ型嵌合凸部（２個）
Ａ２・・・・・・二本体嵌合用Ｌ型嵌合凸部（２個）付付属パレット
３Ａ２・・・・・正方形体のＬ型嵌合凹部（２個）付主たるパレットの両サイド
に、２つのＬ型嵌合凸部（２個）付付属パレットを嵌合させた組立パレット
１Ａ３・・・・・正方形体のＬ型嵌合凹部（３個）付主たるパレット
１Ａ３′・・・・長方形体のＬ型嵌合凹部（３個）付主たるパレット
１Ａ′３・・・・正方形体のＬ型嵌合凹部（３個）付主たるパレットの上部デッキ
ボード
１Ａ′３′・・・正方形体のＬ型嵌合凹部（３個）付主たるパレットの下部デッキ
ボードと桁部の一体下部構造部
２Ａ３・・・・・Ｌ型嵌合凸部（３個）付付属パレット
２Ａ′３・・・・表裏のＬ型嵌合凸部（７Ａ３）付付属パレットの上部デッキボード
２Ａ′３′・・・表裏のＬ型嵌合凸部（７Ａ３）付付属パレットの下部デッキボード
と桁部の一体下部構造部
５Ａ３・・・・・Ｌ型嵌合凹部（３個）
５Ａ３′・・・・Ｌ型嵌合凹部（３個）の下部構造
７Ａ３・・・・・Ｌ型嵌合凸部（３個）
３Ａ３・・・・・正方形体のＬ型嵌合凹部（３個）付主たるパレットの両サイドに、２つのＬ型嵌合凸部（３個）付付属パレットを嵌合させた組立パレット
３Ａ３′・・・・長方形体のＬ型嵌合凹部（３個）付主たるパレットの両サイドに、２つのＬ型嵌合凸部（３個）付付属パレットを嵌合させた組立パレット
Ａ３・・・・・・二本体嵌合用Ｌ型嵌合凸部（３個）付付属パレット
Ａ３′・・・・・裏面二本体嵌合用Ｌ型嵌合凸部（３個）付付属パレット
１Ｂ１・・・・・正方形体の斜形型嵌合凹部（１個）付主たるパレット
１Ｂ′１・・・・正方形体の斜形型嵌合凹部（１個）付主たるパレットの上部
デッキボード
１Ｂ′１′・・・正方形体の斜形型嵌合凹部（１個）付主たるパレットの下部
デッボードと桁部の一体下部構造部  
２Ｂ１・・・・・斜形型嵌合凸部（１個）付付属パレット
５Ｂ１・・・・・斜形型嵌合凹部（１個）
５Ｂ１′・・・・斜形型嵌合凹部（１個）の下部構造
７Ｂ１・・・・・斜形型嵌合凸部（１個）
３Ｂ１・・・・・正方形体の斜形型嵌合凹部（１個）付主たるパレットの両サイド
に、２つの斜形型嵌合凸部（１個）付付属パレットを嵌合させた組立パレット
Ｂ１・・・・・・二本体嵌合用斜形型嵌合凸部（１個）付付属パレット
１Ｂ２・・・・・正方形体の斜形型嵌合凹部（２個）付主たるパレット
１Ｂ′２・・・・正方形体の斜形型嵌合凹部（２個）付主たるパレットの上部
デッキボード
１Ｂ′２′・・・正方形体の斜形型嵌合凹部（２個）付主たるパレットの下部
デッキボードと桁部の一体下部構造部
２Ｂ２・・・・・斜形型嵌合凸部（２個）付付属パレット
５Ｂ２・・・・・斜形型嵌合凹部（２個）
５Ｂ２′・・・・斜形型嵌合凹部（２個）の下部構造
７Ｂ２・・・・・斜形型嵌合凸部（２個）
３Ｂ２・・・・・正方形体の斜形型嵌合凹部（２個）付主たるパレットの両サイド
に、２つの斜形型嵌合凸部（２個）付付属パレットを嵌合させた組立パレット
Ｂ２・・・・・・二本体嵌合用斜形型嵌合凸部（２個）付付属パレット
１Ｂ３・・・・・正方形体の斜形型嵌合凹部（３個）付主たるパレット
１Ｂ′３・・・・正方形体の斜形型嵌合凹部（３個）付主たるパレットの
上部デッキボード
１Ｂ′３′・・・正方形体の斜形型嵌合凹部（３個）付主たるパレットの
下部デッキボードと桁部の一体下部構造部
２Ｂ３・・・・・斜形型嵌合凸部（３個）付付属パレット
５Ｂ３・・・・・斜形型嵌合凹部（３個）
５Ｂ３′・・・・斜形型嵌合凹部（３個）の下部構造
７Ｂ３・・・・・斜形型嵌合凸部（３個）
３Ｂ３・・・・・正方形体の斜形型嵌合凹部（３個）付主たるパレットの両サイド
に、２つの斜形型嵌合凸部（３個）付付属パレットを嵌合させた組立パレット  
Ｂ３・・・・・・二本体嵌合用斜形型嵌合凸部（３個）付付属パレット
Ｂ３′・・・・・裏面二本体嵌合用斜形型嵌合凸部（３個）付付属パレット
１Ｃ１・・・・・四分の一円形型嵌合凹部（１個）付主たるパレット
１Ｃ′１・・・・四分の一円形型嵌合凹部（１個）付主たるパレットの
上部デッキボード
１Ｃ′１′・・・四分の一円形型嵌合凹部（１個）付主たるパレットの下部デッキ
ボードと桁部の一体下部構造部
２Ｃ１・・・・・四分の一円形型嵌合凸部（１個）付付属パレット
５Ｃ１・・・・・四分の一円形型嵌合凹部（１個）
５Ｃ１′・・・・四分の一円形型嵌合凹部（１個）の下部構造
７Ｃ１・・・・・四分の一円形型嵌合凸部（１個）
１Ｃ２・・・・・四分の一円形型嵌合凹部（２個）付主たるパレット
１Ｃ′２・・・・四分の一円形型嵌合凹部（２個）付主たるパレットの
上部デッキボード
１Ｃ′２′・・・四分の一円形型嵌合凹部（２個）付主たるパレットの
下部デッキボードと桁部の一体下部構造部
２Ｃ２・・・・・四分の一円形型嵌合凸部（２個）付付属パレット
５Ｃ２・・・・・四分の一円形型嵌合凹部（２個）
５Ｃ２′・・・・四分の一円形型嵌合凹部（２個）の下部構造
７Ｃ２・・・・・四分の一円形型嵌合凸部（２個）
１Ｃ３・・・・・四分の一円形型嵌合凹部（３個）付主たるパレット
１Ｃ′３・・・・四分の一円形型嵌合凹部（３個）付主たるパレットの
上部デッキボード
１Ｃ′３′・・・四分の一円形型嵌合凹部（３個）付主たるパレットの
下部デッキボードと桁部の一体下部構造部
２Ｃ３・・・・・四分の一円形型嵌合凸部（３個）付付属パレット
５Ｃ３・・・・・四分の一円形型嵌合凹部（３個）
５Ｃ３′・・・・四分の一円形型嵌合凹部（３個）の下部構造
７Ｃ３・・・・・四分の一円形型嵌合凸部（３個）
１・・・・・・・上部ネジ谷
１′・・・・・・下部ネジ谷
２・・・・・・・上下部ネジ谷
３・・・・・・・上部デッキボード
４・・・・・・・上部半円ネジ谷
４′・・・・・・下部半円ネジ谷
５・・・・・・・上付きボルト
６・・・・・・・フォークの差し穴
６′・・・・・・正方形体の主パレットに於ける、片面一対のフォークの差し穴
７・・・・・・・四分の一円形型嵌合凸部用取っ手
８・・・・・・・フォークの差し穴用面取り
９・・・・・・・桁部
１０・・・・・・下部デッキボート
１１・・・・・・ボルトワッシャー
１２・・・・・・ワッシャー・スライド区間用円筒部
１３・・・・・・ボルト・ネジ山先端部
１３′・・・・・摘み部分付近のボルト・ネジ山
１４・・・・・・上部半円筒形ボルト筒
１４′・・・・・下部半円筒形ボルト筒
１５・・・・・・摘み部分
１６・・・・・・発泡スチロール
１７・・・・・・フォーク縦差し
１８・・・・・・フォーク横差し
１９・・・・・・半円柱形凹型取っ手
２０・・・・・・凹部型三角柱取っ手
２１・・・・・・下付きボルト
２２・・・・・・上下付ボルト
２３・・・・・・ボルト締付用工具
２４・・・・・・ボルト締付用工具入れ保管用具
２４′・・・・・ボルト締付用工具入れ保管用具の下部構造部
２４ａ・・・・・ボルト締付用工具入れ保管用具の上部構造部
２５・・・・・・ボルト締付用工具入れ保管用具に、ボルト締付用工具を
格納した用具
２６・・・・・・円形型ハンドル
２６′・・・・・円形型ハンドルの滑り止め部
２７・・・・・・円柱型摘み部
２８・・・・・・ボルト締付用工具用ネジ山
２８′・・・・・ボルト締付用工具入れ保管用具用ネジ谷
２９・・・・・・ボルト締付用工具用摘み部型凹部
３０・・・・・・二本体嵌合用Ｌ型と斜形型嵌合凸部付付属パレット用ボルト
３１・・・・・・フォークリフトの差し穴方向
３２・・・・・・二本体嵌合用パレット用ボルトのネジ谷
３２′・・・・・ネジ腺
ａ・・・・・・・円筒形内のワッシャースライド区間
ｂ・・・・・・・実際の円筒形内のワッシャースライド区間
ｃ・・・・・・・長方形体の中央桁部
ｄ、ｄ′・・・・長方形体及び正方形体桁部の辺長
ｅ、ｅ′・・・・フォーク差し穴辺長
【図１】
0004423405.tif 000002
【図２】
0004423405.tif 000003
【図３】
0004423405.tif 000004
【図４】
0004423405.tif 000005
【図５】
0004423405.tif 000006
【図６】
0004423405.tif 000007
【図７】
0004423405.tif 000008
【図８】
0004423405.tif 000009
【図９】
0004423405.tif 000010
【図１０】
0004423405.tif 000011
【図１１】
0004423405.tif 000012
【図１２】
0004423405.tif 000013
【図１３】
0004423405.tif 000014
【図１４】
0004423405.tif 000015
【図１５】
0004423405.tif 000016
【図１６】
0004423405.tif 000017
【図１７】
0004423405.tif 000018
【図１８】
0004423405.tif 000019
【図１９】
0004423405.tif 000020
【図２０】
0004423405.tif 000021
【図２１】
0004423405.tif 000022
【図２２】
0004423405.tif 000023
【図２３】
0004423405.tif 000024
【図２４】
0004423405.tif 000025
【図２５】
0004423405.tif 000026
【図２６】
0004423405.tif 000027
【図２７】
0004423405.tif 000028
【図２８】
0004423405.tif 000029